(57)【要約】【課題】  水槽の新たな観賞方法として、水槽内の浮遊物体や透過媒体の動きを影として投影して楽しむことができる、投影機能つき水槽を提供する。【解決手段】  水槽（１）の片側に光源（２）、その逆側にスクリーン体（３）を設けた投影機能つき水槽を特徴とする。これにより、水槽（１）内の浮遊物体（４）や透過媒体（５）の動きを影としてスクリーン体（３）に映し出すことができる。これらの発明を、水槽つきのインテリア製品や内装設備に応用することで、新しい観賞方法を提供することができる。【選択図】図１
2013242506.tif 000002
【特許請求の範囲】
【請求項１】
図１のように、水槽（１）の片側に光源（２）を、その逆側にスクリーン体（３）を設けることで、水槽（１）内の浮遊物体（４）や透過媒体（５）の動きを影としてスクリーン体（３）に映し出すことができる、投影機能つき水槽。（投影される影のイメージ：図２）
【請求項２】
光源（２）として、点光源や平行光源に近い光源を使用することで、影をより鮮明に映し出すことを可能にした、請求項１の投影機能つき水槽。
【請求項３】
スクリーン体（３）として、半透明の材料を使用することで、スクリーン体（３）の外側から（β視）も投影された影を見ることを可能にした、請求項１の投影機能つき水槽。
【請求項４】
水槽（１）と光源（２）の間に、断熱層（６）を設けることで、光源（２）から発生する熱が水槽内部の温度に影響を与えるのを防ぐことを可能にした、請求項１の投影機能つき水槽。
【請求項５】
光源（２）を含む電気系統に防滴カバー（７）を設けることで、水槽から溢れてしまった水による感電事故を防ぐことを可能にした、請求項１の投影機能つき水槽。
【請求項６】
水槽（１）の形状を異形にすることで、水槽に入った水を通る光がレンズのような効果で屈折を起こし、映し出す影に変化をもたらすことを可能にした、請求項１の投影機能つき水槽。
【請求項７】
光源（２）の色を変えるとこで、スクリーン体に映る光に色をつけることを可能にした、請求項１の投影機能つき水槽。
【請求項８】
請求項１の投影機能つき水槽を応用した、水槽つきのテーブル。
図３のように、テーブル内部に水槽（１ａ）を設け、その下部に光源（２ａ）を設け、テーブル天面をスクリーン体（３ａ）とすることで、テーブル天面に水槽（１ａ）内の浮遊物体（４ａ）や透過媒体（５ａ）の動きが投影されるテーブルとなる。
【請求項９】
請求項１の投影機能つき水槽を応用した、水槽つきの照明。
図４のように、照明（２ｂ）の下部に水槽（１ｂ）を設けると、その下の床がスクリーン体（３ｂ）となり、床に投影された影を映し出す照明となる。（イメージ：図５）
【請求項１０】
請求項１の投影機能つき水槽を応用した、水槽つきの床。
図６のように、スクリーン（３ｃ）となる床の下部に水槽（１ｃ）、さらにその下に光源（２ｃ）を設けることで、投影された影が映し出される床となる。
【請求項１１】
請求項１の投影機能つき水槽を応用した内装。
図７のように、水槽（１ｄ）の内部に光源（２ｄ）があるものを設置することで、部屋全体の壁がスクリーン体（３ｄ）となり、投影された影か映し出される内装となる。
【発明の詳細な説明】
【技術分野】
【０００１】  本発明は、水槽内に入った浮遊物体や透過媒体の動きが影スクリーン体に投影される投影機能つき水槽に関するものである。ここで透過媒体とは、光が透過する媒体と定義し、水などを指す。また、浮遊物体とは、その透過媒体の中を浮遊する物体と定義し、観賞魚などの生物に加えて、水草やエアーポンプから出る空気粒も含むこととする。
【背景技術】
【０００２】  従来の水槽は、水槽内に浮遊する物体そのものを直接的に見て楽しむのが一般的な観賞方法であった。また、水や光や影を使った演出方法は多く存在するが、観賞用水槽に応用した例は見当たらない。
【発明の概要】
【発明が解決しようとする課題】
【０００３】  従来の水槽の観賞方法としては、浮遊物体そのものを直接的に見て楽しむ方法しかなかった。本発明は、新しい観賞方法として、浮遊物体や透過媒体の動きを影として投影したものを見て楽しむことができる投影機能つきの水槽を提供することを目的とする。（投影された影のイメージ：図２）
【課題を解決するための手段】
【０００４】  図１のように、水槽（１）の片側に光源（２）、その逆側にスクリーン体（３）を設けることで、水槽（１）内の浮遊物体（４）や透過媒体（５）の動きを影としてスクリーン体（３）に映し出すことができる。本発明は、以上の構成が基本となる投影機能つき水槽である。さらに最良に実施するための手段を以下に示す。【０００５】  光源（２）として、散乱光がすくない点光源や平行光源を使用することで、影をより鮮明に映し出すことができる。【０００６】  スクリーン体（３）として、半透明の材料を使うことで、スクリーン体の内側から（α視）だけではなく、スクリーン体の外側から（β視）も、投影された影を見ることができる。【０００７】  水槽（１）と光源（２）の間に、断熱層（６）を設けることで、光源（２）から発生する熱が水槽（１）内の温度に影響を与えるのを防ぐことができる。【０００８】光源（２）を含む電気系統に防滴カバー（７）を設けることで、水槽から溢れてしまった水による感電事故などを防ぐことができる。【０００９】光源（２）の色を変えるとこで、スクリーン体に映る光に色をつけることができ、それによって、様々な雰囲気を演出することができる。【００１０】水槽（１）の形状を異形にすることで、水槽に入った水を通る光がレンズのような効果で屈折を起こし、映し出す影に変化をもたらすことができる。【００１１】これらの発明を、水槽つきのインテリア製品や内装設備に応用することで、新しい演出を提供することができる。
【発明の効果】
【００１２】  水槽内の浮遊物体や透過媒体の動きを影として投影して間接的に見るという新しい観賞方法を提供すことができる。
影は物体をモノトーン（単色の濃淡や明暗による表現方法）のように映し出すので、直接的に浮遊物体を見た印象（多彩である実際の外観）とは全く異なる印象を与える。モノトーンによる表現方法は、芸術性を求めた表現としてモノクロ写真等でも一般的に用いられる方法であり、本発明の場合、色の情報量を抑えることで、動きの美しさをシンプルに感じやすくしている効果もあると言える。
また、浮遊物体だけでなく、直接的には見えにくい透過媒体の動きも、光源からの光が屈折率の違いで濃淡となって表れ、影として可視化することができる。これにより、直接は見えにくい水槽内の現象をスクリーン体に映し出すことができる。たとえば、観賞魚が動くとその周りの水が波立ち流れの変化が起きる現象、エアーポンプの空気粒が水中を漂って浮かんできて水面で破裂する現象、そのような現象が影として奇麗に可視化される。
可視化されたものは、アート作品のように、見る人を幻想的な気分にさせ、リラクゼーション効果も与える。
このように、今までの水槽の鑑賞方法とは違った効果を生み出し、新たな鑑賞方法としての価値がある。【００１３】  請求項２の発明は、影をより鮮明に映し出すことを可能にする。
光源として、様々な方向性が混ざっている光を選ぶと、影の輪郭がぼやけてしまうため、点光源や平行光源に近い光源を選ぶことで、より鮮明に影を映す効果がある。【００１４】請求項３の発明は、スクリーン体に映し出された影を、スクリーン体の外側（β側）から見ることを可能にした。
スクリーン体の外側からは内側の構造が見えないので、スクリーン外側から見る人に驚きを与えることができる。
また、スクリーン外側からは水槽の外観を隠せるので、水槽とは調和しにくい空間に対しても、インテリアとして調和させる効果がある。【００１５】  請求項４の発明は、水槽内部の温度への影響を防いだことで、浮遊物体の対象範囲を広げた。これにより、温度変化に弱い生物も水槽内で生存可能になる。【００１６】  請求請５の発明は、感電のリスクを防ぐことを可能とした。これにより、製品としての安全性が高まる。
また、水槽の下に光源を設置する位置関係にするなどの応用ができるようになる。【００１７】  請求請６の発明は、映し出す影が拡大や縮小するような変化をもたらすことを可能にする。【００１８】  請求請７の発明は、スクリーン体に映る光に色をつけることを可能にする。【００１９】  請求請８の発明により、投影機能をもった水槽をテーブルの形で提供することができる。【００２０】  請求請９の発明により、投影機能をもった水槽を照明の形で提供することができる。【００２１】  請求請１０の発明により、投影機能をもった水槽を床の形で提供することができる。【００２２】  請求請１１の発明により、投影機能をもった水槽を内装の形で提供することができる。
【図面の簡単な説明】
【００２３】
【図１】本発明の基本構造図である。１〜５が基本要素であり、６と７は付加要素である。
【図２】本発明においてスクリーン体に映し出されるイメージ図である。
【図３】本発明の応用の一つである水槽つきテーブルの構造図である。（請求項８）
【図４】本発明の応用の一つである水槽つき照明の構造図である。（請求項９）
【図５】本発明の応用の一つである水槽つき照明のイメージ図である。
【図６】本発明の応用の一つである水槽つき床の構造図である。（請求項１０）
【図７】本発明の応用の一つである内装の構造図およびイメージ図である。（請求項１１）
【発明を実施するための形態】
【００２４】  以下、本発明を実施するための最良の形態について説明する。
図１のように、水槽（１）の片側に、光源（２）を設け、その逆側にスクリーン体（３）を設ける。光源（１）を点灯させると、その光が水槽内の透過媒体（５）を通過し、スクリーン体（３）に浮遊物体（４）や透過媒体（５）の影が映し出される。
【００２５】以上が本発明の基本構造であるが、以下のような発明も含めて実施するのが最良である。
【００２６】  光源（２）として、点光源や平行光源に近い光源を使用することで、影をより鮮明に映し出すことを可能にする。
【００２７】  スクリーン体（３）として、半透明の材料を使用することで、スクリーン体（３）の外側から（β視）も投影された影を見ることを可能にする。
【００２８】  水槽（１）と光源（２）の間に、断熱層（６）を設けることで、光源（２）から発生する熱が水槽内部の温度に影響を与えるのを防ぐことを可能にする。
【００２９】  光源（２）を含む電気系統に防滴カバー（７）を設けることで、水槽から溢れてしまった水による感電事故を防ぐことを可能にする。
【００３０】  水槽（１）の形状を異形にすることで、水槽に入った水を通る光がレンズのような効果で屈折を起こし、映し出す影に変化をもたらすことを可能にする。
【００３１】  光源（２）の色を変えるとこで、スクリーン体に映る光に色をつけることを可能にする。これらの発明は、インテリア製品や内装設備に広く応用することができる。
【実施例ａ】
【００３２】  テーブルとして応用したのが図２（請求項８）である。図３のように、テーブル内部に水槽（１ａ）を設け、その下部に光源（２ａ）を設け、テーブル天面をスクリーン体（３ａ）とすることで、テーブル天面に水槽（１ａ）内の浮遊物体（４ａ）や透過媒体（５ａ）の動きが投影されるテーブルとなる。
【実施例ｂ】
【００３３】  照明に応用したのが図４（請求項９）である。図４のように、照明（２ｂ）の下部に水槽（１ｂ）を設けると、その下の床がスクリーン体（３ｂ）となり、床に投影された影を映し出す照明となる。（イメージ：図５）
【実施例ｃ】
【００３４】  床に応用したのが図６（請求項１０）である。図６のように、スクリーン（３ｃ）となる床の下部に水槽（１ｃ）、さらにその下に光源（２ｃ）を設けることで、投影された影が映し出される床となる。
【実施例ｃ】
【００３５】  内装に応用したのが図７（請求項１１）である。図７のように、水槽（１ｄ）の内部に光源（２ｄ）を設置することで、部屋全体の壁がスクリーン体（３ｄ）となり、投影された影か映し出される内装となる。
【符号の説明】
【００３６】１、１ａ、１ｂ、１ｃ、１ｄ  水槽
２、２ａ、２ｂ、２ｃ、２ｄ  光源
３、３ａ、３ｂ、３ｃ、３ｄ  スクリーン体
４、４ａ、４ｂ、４ｃ、４ｄ  浮遊物体
５、５ａ、５ｂ、５ｃ、５ｄ  透過媒体
６、６ａ、６ｂ、６ｃ、６ｄ  断熱層
７、７ａ、７ｂ、７ｃ、７ｄ  防滴カバー
【図１】
2013242506.tif 000003
【図２】
2013242506.tif 000004
【図３】
2013242506.tif 000005
【図４】
2013242506.tif 000006
【図５】
2013242506.tif 000007
【図６】
2013242506.tif 000008
【図７】
2013242506.tif 000009